(57)【要約】【課題】ユーザーがより携帯しやすく、操作負担の少ない、肌特性測定機能付きの携帯端末を提供することを目的とする。【解決手段】この目的を達成するため本発明は、ケース２と、このケース２の内部に収容された表示部３および肌特性測定センサ４と、ケース２の開口部を覆うカバー５と、を備え、表示部３はカバー５を介して露呈する表示面６を有し、肌特性測定センサ４は、表示面６の外周であって、カバー５の表面に検出部９を有するものとした。これにより本発明は、ユーザーにとって操作負担の少ない、肌特性測定機能付きの携帯端末１を実現できる。【選択図】図１
2014014035.tif 000002
【特許請求の範囲】
【請求項１】
ケースと、
このケースの内部に収容された表示部および肌特性測定センサと、
前記ケースの開口部を覆うカバーと、を備え、
前記表示部は前記カバーを介して露呈する表示面を有し、
前記肌特性測定センサは、前記表示面の外周であって、前記カバーの表面に検出部を有する、
携帯端末。
【請求項２】
前記ケースの前記表示面に平行な水平断面は、長軸と短軸とを有する矩形状または楕円形状であって、
前記検出部は、前記表示面より前記長軸方向における一方の端部側に配置されている、請求項１に記載の携帯端末。
【請求項３】
前記ケースの内部には、カメラモジュールが収容され、
このカメラモジュールは、前記カバーの表面から露呈する撮影レンズを有し、
この撮影レンズと前記検出部は、
前記ケースの内部において、前記表示面より前記長軸方向における一方の端部側に配置されている、請求項２に記載の携帯端末。
【請求項４】
前記ケースの内部には、前記携帯端末を駆動する電池が収容され、
前記肌特性測定センサは、前記ケースの中心より一方の端部側に配置され、
前記電池は、前記ケースの中心より他方の端部側に偏って配置された、
請求項１から３のいずれか一つに記載の携帯端末。
【請求項５】
前記検出部の表面には、可動式の小カバーが配置された、請求項１から４のいずれか一つに記載の携帯端末。
【請求項６】
前記検出部は、可動式であり、前記ケースの内部に収容可能である、請求項１から４のいずれか一つに記載の携帯端末。
【発明の詳細な説明】
【技術分野】
【０００１】
本発明は、肌特性を測定できる携帯電話やＰＨＳ（Ｐｅｒｓｏｎａｌ Ｈａｎｄｙ−ｐｈｏｎｅ Ｓｙｓｔｅｍ）、ＰＤＡ（Ｐｅｒｓｏｎａｌ Ｄｉｇｉｔａｌ Ａｓｓｉｓｔａｎｔ）、パソコン、モバイルツール、電子辞書、電卓、ゲーム機等の携帯端末に関する。
【背景技術】
【０００２】
特許文献１は、肌の水分や皮脂を測定するセンサが設けられた携帯型測定器と、この携帯型測定器が接続されるデータ通信用携帯端末を開示する。携帯型測定器はデータ通信用携帯端末と別個の機器であり、肌の特性はデータ通信用携帯端末とは遠隔で測定される。
【０００３】
特許文献２は、ユーザーの肌の湿度情報を受け付ける受付手段が設けられた携帯電話を開示する。
【先行技術文献】
【特許文献】
【０００４】
【特許文献１】特開２００３−３１９９１０号公報
【特許文献２】特開２００３−１８２５０号公報
【発明の概要】
【発明が解決しようとする課題】
【０００５】
本発明は、ユーザーがより携帯しやすく、操作負担の少ない、肌特性測定機能付きの携帯端末を提供することを目的とする。
【課題を解決するための手段】
【０００６】
上記目的を達成するため本発明は、ケースと、このケースの内部に収容された表示部および肌特性測定センサと、ケースの開口部を覆うカバーと、を備え、表示部はカバーを介して露呈する表示面を有し、肌特性測定センサは、表示面の外周であって、カバーの表面に検出部を有するものとした。
【発明の効果】
【０００７】
これにより本発明は、ユーザーがより携帯しやすく、操作負担の少ない、肌特性測定機能付きの携帯端末を提供できる。
【図面の簡単な説明】
【０００８】
【図１】本発明の実施の形態１における携帯端末の斜視図
【図２】本発明の実施の形態１における水分センサのブロック図
【図３】本発明の実施の形態１における携帯端末の使用状態を示す図
【図４】本発明の実施の形態２における携帯端末の斜視図
【図５】本発明の実施の形態２におけるケースの内部を簡易的に示した模式断面図
【図６】（Ａ）本発明の実施の形態３における携帯端末の斜視図、（Ｂ）本発明の実施の形態３における携帯端末の斜視図
【図７】（Ａ）本発明の実施の形態４における携帯端末の斜視図、（Ｂ）本発明の実施の形態４における携帯端末の斜視図
【発明を実施するための形態】
【０００９】
（実施の形態１）
以下、携帯端末としていわゆるスマートフォンと呼ばれる高機能型の携帯電話機を例に挙げ、説明する。
【００１０】
この携帯端末は、電話の通信やメールの送受信など、双方向のデータ通信以外にも、メディアを再生・記憶したり、ウェブを閲覧したりする用途にも利用できる。この携帯端末は、無線通信および有線通信のいずれにも対応させてよい。
【００１１】
図１に示すように、携帯端末１は、ケース２と、ケース２の内部に収容された表示部３と、肌特性測定センサ４と、ケース２の開口部を覆うカバー５と、を備えている。
【００１２】
ケース２は携帯端末本体の背面と側面を覆う。ケース２の内部は空洞が形成されている。この空洞内に前述の表示部３と肌特性測定センサ４が収容されている。
【００１３】
ケース２の空洞内には、更に携帯端末１のコンピュータ動作を実行する集積回路や他の回路を収容している。集積回路や他の回路はマイクロプロセッサ、メモリ、携帯端末１を駆動させるバッテリ、回路基板、入出力回路、種々の入出力支援回路などを含む。また携帯端末１は、アンテナを有する。アンテナはケース２の外部に露出していてもよく、内部に収容されていてもよい。無線通信は、高周波、Ｂｌｕｅｔｏｏｔｈ（登録商標）等の種々の通信プロトコルに基づいてもよい。
【００１４】
表示部３は、例えばタッチパネルと、液晶ディスプレイや有機液晶ディスプレイ等の表示面６とを有する。
【００１５】
ケース２の開口部を覆うカバー５は、少なくとも表示面６の上方は、ガラスやアクリルからなる透明な板状体である。表示面６は、カバー５を介して携帯端末１の表面に露呈する。すなわちユーザーは、透明なカバー５を介して表示面６を見る事ができる。
【００１６】
図１のケース２の表示面６に平行な水平断面は、長軸Ｙと短軸Ｘとを有する略矩形状である。ケース２の形状は、矩形形状の他、楕円形状や正方形、円形状など、種々の形状であってもよい。矩形状や楕円形状などの長軸Ｙと短軸Ｘを有する形状は、長軸Ｙ方向を使用時の上下方向として使うことで、ユーザーが持ち易く、耳から口への長さに合わせることができ、使い易い。
【００１７】
肌特性測定センサ４は、肌の特性を測定する検出部９と、検出部９からの信号を処理する回路モジュール（図示せず）と、を備えている。本実施の形態では、肌特性測定センサ４として、ユーザーの肌の水分量を測定する水分センサを例に挙げ説明する。水分センサ以外にも、肌の温度、皮脂量、色、明るさなどの種々の特性を測定するセンサでもよい。
【００１８】
本実施の形態の水分センサは、肌の水分量を静電容量で算出する。すなわち肌表面に一対の電極を接触あるいは近接させると、電極間の誘電率が変化する。この誘電率の変化によって静電容量の変化を検出し、肌中における水分量を算出できる。電極として櫛歯電極７、８を用いることで、検出できる静電容量値が大きくなり、測定精度が向上する。肌の水分量は、静電容量以外にも、対となる電極間の抵抗やインピーダンス等で算出してもよい。
【００１９】
なお、肌の明るさ、色、温度などは、肌特性測定センサ４として、例えば赤外線センサを用いて測定できる。肌の皮脂量は、肌特性測定センサ４として、例えば油分採取面に光を照射し、反射光の強度を測定する光センサを用いて測定できる。
【００２０】
図２は静電容量型の水分センサの一例を示すブロック図である。
【００２１】
この水分センサは、肌の水分量を検出する静電容量検出部と、静電容量検出部の出力側に接続され、周波数を用いて静電容量を検出する発振回路Ａと、を備えている。この静電容量検出部は、図１の検出部９に相当する。
【００２２】
さらに静電容量検出部と並列に、外部環境の温度や湿度などを検出する基準静電容量検出部と、この基準静電容量検出部の出力側に接続され、周波数を用いて静電容量を検出する発振回路Ｂと、を備えている。
【００２３】
発振回路Ａと発振回路Ｂの出力側には位相比較器が接続されている。位相比較器では、発振回路Ａと発振回路Ｂの周波数差を検出する。位相比較器の出力側には出力端子が接続され、出力端子はＦ−Ｖ（周波数−電圧）変換回路に接続される。
【００２４】
Ｆ−Ｖ変換回路では周波数信号がアナログ電圧に変換される。Ｆ−Ｖ変換回路から出力された電圧は、肌の水分量に対応しているため、所定のアルゴリズムを用いて水分量に変換できる。肌の水分量の算出結果を表示部３で表示することで、ユーザーは自分の肌の水分量を知ることができる。
【００２５】
本実施の形態では、外部環境の湿度や温度等の影響を除くために、これらを肌の水分量を測定する検出部と別個の基準静電容量検出部によって測定したが、静電容量検出部のみで測定することもできる。この場合は、初期値として外部環境の基準静電容量を検出し、肌を介した静電容量との差分をとればよい。また外部環境の影響が少ない場合は基準静電容量検出部や発振回路Ｂ、位相比較器は必須ではない。
【００２６】
静電容量型の水分センサは、図２に示すブロック図に限らず、種々の構成が考えられる。例えば図２では発振回路Ａを用いて静電容量を検出したが、その他振幅差で静電容量を検出してもよい。この場合は発振回路Ａの代わりに例えばロックインアンプを用いることができる。また本実施の形態では、Ｆ−Ｖ変換回路を用いて周波数信号をアナログ電圧に変換したが、例えば周波数カウンタを用いてＢＵＳ信号に変換してもよい。
【００２７】
また携帯端末１が双方向の通信機能を備えている場合、ネットワークを介して肌の水分量や油分量等、肌特性に関する情報をサーバーに送信し、サーバーからユーザーの肌特性に合わせて適切な美容情報を受信することもできる。
【００２８】
図３は、ユーザーが本実施の形態の携帯端末１を用いて、肌特性測定センサ４で肌の特性を測定している状態を示す。ユーザーは自分の顔の顎や頬、二の腕の裏側などを中心に、肌特性測定センサ４の検出部９を押圧、もしくは近接させ、肌の特性を測定する。
【００２９】
本実施の形態では、図１に示すように、櫛歯電極７、８が形成された検出部９は、表示面６の外周であって、カバー５の表面に配置される。検出部９の櫛歯電極７、８は、カバー５の表面に形成されていてもよく、カバー５の下方に形成されていてもよい。検出部９は、肌により密着させるため、カバー５から突出させてもよく、使用時のみ突出させてもよい。
【００３０】
ユーザーは携帯端末１を衝撃から保護するためやデザイン上の趣向から、ケース２の外周をさらに保護ケースや意匠ケースに入れて使用することがある。保護ケースや意匠ケースは、多くの場合、表示面６を含む表面が露出するように開口しているが、背面は被覆されていることが多い。このようにケース２の背面が保護ケースや意匠ケースで覆われていても、検出部９はカバー５の表面に配置されているため、保護ケースや意匠ケースを外すことなく素早く測定をすることができる。
【００３１】
実施の形態では、図１に示すように、検出部９は、表示面６より長軸Ｙ方向における携帯端末１の一方の端部Ｐ側に配置されている。このように携帯端末１の端に検出部９を配置したことで、図３に示すように、検出部９に肌を押し当てたり近接させたりする際、表示面６を肌から離すことができる。したがって、皮脂や化粧品等で表示面６が汚れるのを抑制できる。
【００３２】
またユーザーは、ディスプレイを傷から守るため、表示面６上に保護シートを貼り付ける場合がある。本実施の形態では、検出部９は表示面６の外周に設けられているため、表示面６のみに保護シートを貼り付けることで、検出部９の表面に保護シートが貼り付けられるのを容易に回避できる。検出部９上に保護シートがある場合とない場合とでは、検出部９と肌との距離が変わり、検出部９によって検出する静電容量や抵抗値、光の強度などに影響を及ぼすことがある。本実施の形態では、ユーザーの使用態様によって検出部９での測定値に影響を及ぼすのを予め防ぐことができる。
【００３３】
以上のように、本実施の形態では、携帯端末１に肌特性測定センサ４を設けたため、ユーザーが何時でも何所でも測定したい時に肌特性を測定できる。また操作負担が少なく、表示面６が汚れにくいという効果も有する。
【００３４】
（実施の形態２）
本実施の形態の携帯端末１０１を、図４、図５を用いて説明する。図４は、携帯端末１０１の斜視図である。図５は、携帯端末１０１のケース２内部断面を上方から見た模式図である。本実施の形態の携帯端末１０１は、実施の形態１で示した携帯端末１に、更にカメラモジュール（図５の図番１０）を備えている。
【００３５】
カメラモジュール１０は、ケース２に収容される。カメラモジュール１０は図４に示す撮影レンズ１１を有し、撮影レンズ１１はカバー５の表面から露呈している。ここでカバー５の表面から露呈する、とは、撮影レンズ１１がカバー５の表面に配置されている場合や、透明なカバー５を介して露呈している場合、カバー５から突出している場合の種々形態を含む。
【００３６】
撮影レンズ１１が表示部３の表示面６と同じ面に露呈している為、ユーザーは表示面６に表示された自分の画像を見ながら撮影することができる。
【００３７】
撮影レンズ１１も検出部９と同様に、表示面６の外周であって、表示面６より長軸Ｙ方向における一方の端部Ｐ側に配置されている。
【００３８】
本実施の形態では、ユーザーが表示面６に向かったまま撮影ができ、かつ検出部９と撮影レンズ１１が近接しているため、検出部９を肌に押し当てたり近接させたりして肌特性を測定するのと同時に、カメラモジュール１０で肌の拡大写真を撮影することができる。したがって肌の物性値だけでなく、肌理の粗さや色素など、画像から分析できる肌特性も測定でき、総合的かつ詳細に肌の分析ができる。なお、カメラモジュール１０と肌特性測定センサ４とを隣接して配置する事がより好ましい。検出部９と撮影レンズ１１が隣接するため、肌のほぼ同じ部位を同時に測定できる。
【００３９】
またケース２の内部には、携帯端末１０１を駆動する電池１２が収容されている。電池１２は例えば充電式のバッテリである。
【００４０】
この電池１２は、ケース２の中心Ｚよりも長軸Ｙ方向における端部Ｑ側に偏って収容されている。端部Ｑは、肌特性測定センサ４やカメラモジュール１０が収容されている端部Ｐと長軸Ｙ方向における反対側の端部である。ユーザーは携帯端末１０１を使用する時、一方の端部Ｐ側が上、他方の端部Ｑ側が下になるように使用する。したがって、下側の端部Ｑ側に重い電池１２を搭載することで、携帯端末１０１の重心が下がり、持ち易くなる。
【００４１】
またケース２の内部にはカメラ撮影の際に使用されるフラッシュ１３や、電話通信、音楽の再生などに使用されるスピーカー１４など、複数のモジュールが搭載されており、その中でも電池１２は体積が大きく、多くの実装スペースが必要である。したがって肌特性測定センサ４を電池１２と離れた位置に配置することで、ケース２内部のスペースを有効活用できる。
【００４２】
その他の実施の形態１と同様の構成については説明を省略する。
【００４３】
（実施の形態３）
本実施の形態の携帯端末２０１を、図６（Ａ）、（Ｂ）を用いて説明する。本実施の形態３では、小カバー１５を設け、実施の形態１で示した検出部９の表面を、この小カバー１５で覆ったものである。
【００４４】
小カバー１５は可動式である。肌特性を測定しない時は図６（Ａ）に示すように、小カバー１５で検出部９の表面を覆う。そして肌特性を測定する時は図６（Ｂ）に示すように、小カバー１５をスライドさせたり取り外したり、あるいは回転させたりすることで、検出部９をカバー５の表面に露呈させる。
【００４５】
この小カバー１５によって、検出部９にゴミや汚れが付着するのを抑制し、測定精度を維持できる。また肌に密接する検出部９を衛生的に保持することができる。
【００４６】
その他の実施の形態１と同様の構成については説明を省略する。
【００４７】
（実施の形態４）
本実施の形態の携帯端末３０１を、図７（Ａ）、（Ｂ）を用いて説明する。本実施の形態４では、実施の形態１で示した検出部９を、可動式にしたものである。
【００４８】
図７（Ａ）に示すように、肌特性を測定しない時は、検出部９の測定面はケース２の内部に向いており、カバー５の表面には露呈していない。そして肌特性を測定する時は図７（Ｂ）に示すように、検出部９をカバー５に水平な軸Ｗを中心に回転させ、カバー５の表面から露呈させる。
【００４９】
このように検出部９を可動式にすることで、検出部９にゴミや汚れが付着するのを抑制し、測定精度を維持できる。また肌に密接する検出部９を衛生的に保持することができる。
【００５０】
更に回転体に検出部９を設けることで、肌特性を測定する際、検出部９が表示面６から突出するため、肌に密着させ易い。検出部９全体が肌に密着することで、測定精度を向上させることができる。また相対的に表示面６が肌から離れるため、表示面６に皮脂等が付着するのを抑制できる。
【００５１】
その他の実施の形態１と同様の構成については説明を省略する。
【００５２】
上記実施の形態１〜４では、携帯端末として高機能型の携帯電話機を例に説明したが、携帯電話機以外に、ＰＨＳ、ＰＤＡ、パソコン、モバイルツール、電子辞書、電卓、ゲーム機等の携帯端末でもよい。特に表面が表示面となる平板形の携帯端末の場合、ユーザーがより携帯し易く、操作もしやすくなる。
【産業上の利用可能性】
【００５３】
本発明は、ユーザーがより携帯しやすく、操作負担の少ない、肌特性測定機能付きの携帯端末を実現するのに有用である。
【符号の説明】
【００５４】
１  携帯端末
２  ケース
３  表示部
４  肌特性測定センサ
５  カバー
６  表示面
７  櫛歯電極
８  櫛歯電極
９  検出部
１０  カメラモジュール
１１  撮影レンズ
１２  電池
１３  フラッシュ
１４  スピーカー
１５  小カバー
１０１  携帯端末
２０１  携帯端末
３０１  携帯端末
【図１】
2014014035.tif 000003
【図２】
2014014035.tif 000004
【図３】
2014014035.tif 000005
【図４】
2014014035.tif 000006
【図５】
2014014035.tif 000007
【図７】
2014014035.tif 000008
【図６】
2014014035.tif 000009